Podtech/llm-jp-corpus-v4-ja_patent huggingface dataset:
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
病気の発見、数量化、段階分け、報告又は追跡のうちの少なくとも１つを実行するための方法であって、
患者（４０２）の病気の発見、数量化、段階分け、報告又は追跡（３３０，３４０，３５０，３６０，３７０）のうちの少なくとも１つを実行するように構成された分析ソフトウエア（４０４）を供給する工程であって、該分析ソフトウエアは患者のパーソナル・コンピュータ（４００）上で実行可能である、当該工程と、
医用イメージング装置（１１０）により患者を撮像する工程（３１０）と、
前記イメージング装置によって生成された患者の医学的画像を、患者のパーソナル・コンピュータにダウンロードする工程と、
前記撮像する工程及び前記ダウンロードする工程を、前記患者の前記パーソナル・コンピュータで実行可能な前記分析ソフトウエアを介した前記画像のコンピュータ分析により、
患者の病気の発見、数量化、段階分け、報告又は追跡のうちの少なくとも１つを実行するのに充分な画像を前記分析ソフトウエアに供給するように選択された間隔で、複数回繰り返す工程と、
を有している方法。
【請求項２】
前記病気は慢性閉塞性肺疾患であり、前記分析ソフトウエアは医学的画像内に描写されている管状構造（２５０）を分析するように構成されている、請求項１記載の方法。
【請求項３】
前記病気は慢性気管支炎及び喘息より成る群から選ばれたものである、請求項２記載の方法。
【請求項４】
前記分析ソフトウエアは、医学的画像内の関心のある選択された管状構造を分離するためにセグメント化（２１０）を利用するように構成されている、請求項１記載の方法。
【請求項５】
前記病気は慢性閉塞性肺疾患であり、前記分析ソフトウエアは医学的画像内の病気に冒されている肺の領域を分析（３５０）するように構成されている、請求項１記載の方法。
【請求項６】
前記病気は気腫である、請求項５記載の方法。
【請求項７】
病気の発見、数量化、段階分け、報告又は追跡のうちの少なくとも１つを実行するためのネットワークであって、
患者（４０２）のパーソナル・コンピュータ（４００）上で実行可能である分析ソフトウエア（４０４）であって、患者の画像のコンピュータ分析により病気の発見、数量化、段階分け、報告又は追跡のうちの少なくとも１つを実行するようにパーソナル・コンピュータに指示する構成にされた命令（３２０，３３０，３４０，３５０，３６０，３７０）を含んでいる分析ソフトウエア（４０４）と、
患者の走査画像をその撮像された患者のパーソナル・コンピュータへ転送するためのインターフェース（１３０）と、
を有しているネットワーク。
【請求項８】
前記ネットワークは遠隔のデータベース（４１４）を更に含んでおり、前記分析ソフトウエアは、患者の病気の状態に関する情報を前記遠隔のデータベースへ伝送するようにパーソナル・コンピュータに指示する構成にされている、請求項７記載のネットワーク。
【請求項９】
薬物治療試験を実行するための方法であって、
患者の病気の発見、数量化、段階分け、報告又は追跡のうちの少なくとも１つを実行するように構成された分析ソフトウエア（４０４）を供給する工程であって、該分析ソフトウエアは複数の患者（４０２，４１６，４１８，４２０，４２２）のパーソナル・コンピュータ（４００）上で実行可能である、当該工程と、
医用イメージング装置（１１０）により患者を撮像して、患者の医学的画像を生成する工程と、
各々の撮像された患者の医学的画像を該撮像された患者のパーソナル・コンピュータにダウンロードする工程と、
前記撮像する工程及び前記ダウンロードする工程を、前記患者の前記パーソナル・コンピュータで実行可能な前記分析ソフトウエアを介した前記画像のコンピュータ分析により、各患者の病気の発見、数量化、段階分け、報告又は追跡（３３０，３４０，３５０，３６０，３７０）のうちの少なくとも１つを実行するのに充分な画像を前記分析ソフトウエアに供給するように選択された間隔で、複数回繰り返す工程と、
各患者のパーソナル・コンピュータを利用して前記医学的画像を分析して、該患者の病気の発見、数量化、段階分け、報告又は追跡のうちの少なくとも１つを実行する工程と、
各患者のパーソナル・コンピュータからの分析の結果を、更なる分析及び評価のためにデータベースへアップロードする工程と、
を有している方法。
【請求項１０】
人の変化し得るパラメータを追跡するための方法であって、
イメージング装置（１１０）によって前記人を撮像する工程と、
前記イメージング装置によって生成された前記人の画像を前記患者のパーソナル・コンピュータへダウンロードする工程と、
前記撮像する工程及び前記ダウンロードする工程を、前記患者の前記パーソナル・コンピュータで実行可能な分析ソフトウエアを介した前記画像のコンピュータ分析により、前記少なくとも１つの変化し得るパラメータを追跡するのに充分な画像を前記分析ソフトウエアに供給するように選択された間隔で、複数回繰り返す工程と、
を有している方法。
【手続補正書】
【提出日】平成21年10月30日(2009.10.30)
【手続補正１】
【補正対象書類名】特許請求の範囲
【補正対象項目名】全文
【補正方法】変更
【補正の内容】
【特許請求の範囲】
【請求項１】
イメージングボリュームを得るために第１のコイルと第２のコイルとを有する磁気共鳴イメージングシステム（１０）を作動させる方法であって、
第１のモードにおいて、双方のコイルからの加算磁場を使用することによってイメージングボリュームを得る段階と、
第２のモードにおいて、双方のコイルからの差分磁場を使用することによってイメージングボリュームを得る段階と、
を含み、
Ｐ１及びＳ１が第１のコイルに対する１次半径及びシールド半径であり、Ｐ２及びＳ２が第２のコイルに対する１次半径及びシールド半径であり、Ｐ１＜Ｐ２＜Ｓ１＜Ｓ２であり、前記方法が、１次半径及びシールド半径をそれぞれＰ２及びＳ１と仮定し且つ電流密度をＤ１で表すことによって、小イメージングボリュームコイルに対する電流密度を得る段階を含む方法。
【請求項２】
１次半径及びシールド半径をそれぞれＰ２及びＳ２と仮定し且つ電流密度をＤ２で表すことによって、大イメージングボリュームコイルに対する電流密度を得る段階を更に含む請求項１に記載の方法。
【請求項３】
コイルＣ１の初期電流密度が、Ｅ１＝０．５＊（Ｄ１＋Ｄ２）によって表される、請求項２に記載の方法。
【請求項４】
コイルＣ２の初期電流密度が、Ｅ２＝０．５＊（Ｄ１−Ｄ２）によって表される、請求項２に記載の方法。
【請求項５】
コイルＣ２の内部磁場が変わらないように、コイルＣ２の電流密度を、半径Ｐ２から半径Ｓ１に変換する段階を更に含む、請求項４に記載の方法。
【請求項６】
磁気共鳴イメージング（ＭＲＩ）システム（１０）であって、
少なくとも１つの第１のコイルと、
前記第１のコイルに電磁気的に結合された少なくとも１つの第２のコイルと、
を備え、前記画像システムが、
前記第１のコイルと前記第２のコイルからの加算磁場を使用することによって第１のモードでイメージングボリュームを得るように作動し、
前記第１のコイルと前記第２のコイルからの差分磁場を使用することによって第２のモードでイメージングボリュームを得るように作動する、
ように構成されており、
Ｐ１及びＳ１が第１のコイルに対する１次半径及びシールド半径であり、Ｐ２及びＳ２が第２のコイルに対する１次半径及びシールド半径であり、Ｐ１＜Ｐ２＜Ｓ１＜Ｓ２であり、前記方法が、１次半径及びシールド半径をそれぞれＰ２及びＳ１と仮定し且つ電流密度をＤ１で表すことによって、小イメージングボリュームコイルに対する電流密度が得られるシステム（１０）。
【請求項７】
１次半径及びシールド半径をそれぞれＰ２及びＳ２と仮定し且つ電流密度をＤ２で表すことによって、大イメージングボリュームコイルに対する電流密度を得る請求項６に記載のシステム（１０）。
【請求項８】
コイルＣ１の初期電流密度が、Ｅ１＝０．５＊（Ｄ１＋Ｄ２）によって表され、
コイルＣ２の初期電流密度が、Ｅ２＝０．５＊（Ｄ１−Ｄ２）によって表される、請求項７に記載のシステム（１０）。
【請求項９】
磁気共鳴イメージングシステム（１０）を利用して対象物をイメージングする方法であって、
第１のコイルと第２のコイルからの加算磁場を用いて第１のボリュームをイメージングする段階と、
第１のコイルと第２のコイルからの差分磁場を用いて第２のボリュームをイメージングする段階と、
を含み、
小イメージングボリュームに対する磁場がＢ１であり、大イメージングボリュームに対する磁場がＢ２であり、前記第１のコイルからの磁場がＣ１で表され、前記第２のコイルからの磁場がＣ２で表され、Ｃ１＋Ｃ２＝Ｂ１及びＣ１−Ｃ２＝Ｂ２となるように、Ｃ１及びＣ２が選択される方法。
【請求項１０】
１次半径及びシールド半径をそれぞれＰ２及びＳ２と仮定し且つ電流密度をＤ２で表すことによって、大イメージングボリュームコイルに対する電流密度を得る請求項９に記載の方法。
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
患者ボア（６）と、
前記患者ボア（６）を囲繞する傾斜コイル・アセンブリ（５２）と、
前記患者ボア（６）と前記傾斜コイル・アセンブリ（５２）の間に結合されたＲＦ体幹用コイル・アセンブリ（８）であって、前記ＲＦ体幹用コイル・アセンブリ（８）は非導電性冷却剤を有する冷却剤源（６７）と流体的に結合された少なくとも１つの中空の導体構造（４３）を備えており、前記非導電性冷却剤は該磁気共鳴イメージング・システムの動作時に前記患者ボアを所望の最大温度未満に維持するように前記少なくとも１つの中空構造を通過して流れている、前記ＲＦ体幹用コイル・アセンブリ（８）と、
前記少なくとも１つの中空の導体構造（４３）の各々と流体的に結合された銅スタブ・パイプ（５９）と、
前記銅スタブ・パイプ（５９）と前記冷却剤源（６７）との間に流体的に結合された非導電性のマニホールドと、
を備える、
磁気共鳴イメージング・システム（２）。
【請求項２】
前記水冷却式ＲＦ体幹用コイル・アセンブリは、
前記患者ボア（６）の周りで円周方向に離間させた複数のＲＦアンテナ（２５）と、
複合材料（５５）と、
前記複合材料の内部に包含されている、その各々が前記複数のＲＦアンテナ（２５）のそれぞれの１つと結合されている複数の中空導体構造（４３）と、
前記複数の中空導体構造（４３）のそれぞれと流体的に結合されており、前記複数の中空導体構造（４３）のそれぞれを通過させて水を提供することが可能な冷却剤源と、
を備えている、請求項１に記載の磁気共鳴イメージング・システム（２）。
【請求項３】
前記複合材料（５５）の内部に導入されたガラス布（５３）をさらに備える請求項２に記載の磁気共鳴イメージング・システム（２）。
【請求項４】
前記水冷却式ＲＦ体幹用コイル・アセンブリ（８）は、
複合材料（５５）と、
前記複合材料（５５）の内部に包含された複数の中空の無線周波数コイル（４３）と、
前記複数の無線周波数コイル（４３）のそれぞれと流体的に結合されており、前記複数の無線周波数コイル（４３）のそれぞれを通過させて冷却剤を提供することが可能な冷却剤源と、
を備えている、請求項１に記載の磁気共鳴イメージング・システム（２）。
【請求項５】
前記複合材料（５５）の内部に導入されたガラス布（５３）をさらに備える請求項４に記載の磁気共鳴イメージング・システム（２）。
【請求項６】
温度制御された患者ボアを有する磁気共鳴イメージング装置を形成するための方法であって、
１対のマンドレル（７１、７３）を提供する工程と、
その各々が中空導体構造（４３）と結合されている複数のＲＦコイル（２５）を、前記１対のマンドレル（７１、７３）の間のキャビティ領域（７５）の内部に導入する工程と、
前記キャビティ（７５）に真空圧下である量の未硬化の複合材料（５５）を導入する工程と、
前記未硬化の複合材料（５５）を硬化させる工程と、
前記マンドレル（７１、７３）を除去して冷却剤冷却式ＲＦ体幹用コイル・アセンブリ（８）を形成する工程と、
前記冷却剤冷却式ＲＦ体幹用コイル・アセンブリ（８）を、磁気共鳴イメージング装置（２）の内部の傾斜コイル・アセンブリ（５２）と患者ボア（６）の間に導入する工程と、
前記冷却剤冷却式ＲＦ体幹用コイル（８）を冷却剤源（６７）と流体的に結合させる工程と、
ある量の冷却剤をスキャン手技中に前記冷却剤源（６７）から前記冷却剤冷却式ＲＦ体幹用コイルを通過させて導入する工程であって、その中にある前記量の冷却剤によって患者ボア（６）の内部の温度を所望の最大温度未満に維持している導入工程と、
を含む方法。
【請求項７】
温度制御された患者ボアを有する磁気共鳴イメージング装置を形成するための方法であって、
１対のマンドレル（７１、７３）を提供する工程と、
複数の中空のＲＦコイル（４３）を、前記１対のマンドレル（７１、７３）の間のキャビティ領域（７５）の内部に導入する工程と、
前記キャビティ（７５）に真空圧下である量の未硬化の複合材料（５５）を導入する工程と、
前記未硬化の複合材料（５５）を硬化させる工程と、
前記マンドレル（７１、７３）を除去して冷却剤冷却式ＲＦ体幹用コイル・アセンブリ（８）を形成する工程と、
前記冷却剤冷却式ＲＦ体幹用コイル・アセンブリ（８）を、磁気共鳴イメージング装置（２）の内部の傾斜コイル・アセンブリ（５２）と患者ボア（６）の間に導入する工程と、
前記冷却剤冷却式ＲＦ体幹用コイル（８）を冷却剤源（６７）と流体的に結合させる工程と、
ある量の冷却剤をスキャン手技中に前記冷却剤源（６７）から前記冷却剤冷却式ＲＦ体幹用コイルを通過させて導入する工程であって、その中にある前記量の冷却剤によって患者ボア（６）の内部の温度を所望の最大温度未満に維持している導入工程と、
を含む方法。
【請求項８】
患者ボア（６）と、
前記患者ボア（６）を囲繞する傾斜コイル・アセンブリ（５２）と、
前記患者ボア（６）と前記傾斜コイル・アセンブリ（５２）の間に結合されたＲＦ体幹用コイル・アセンブリ（８）と、
を備える磁気共鳴イメージング・システム（２）であって、前記ＲＦ体幹用コイル・アセンブリ（８）は、
前記患者ボア（６）の周りで円周方向に離間させた複数のＲＦアンテナ（２５）と、
複合材料（５５）と、
前記複合材料（５５）の内部に導入されたガラス布（５３）と、
前記複合材料の内部に包含されている、その各々が前記複数のＲＦアンテナ（２５）のそれぞれの１つと結合されている複数の中空導体構造（４３）と、
前記複数の中空導体構造（４３）のそれぞれと流体的に結合されており、前記複数の中空導体構造（４３）のそれぞれを通過させて非導電性冷却剤を提供することが可能であり、前記磁気共鳴イメージング・システムの動作時に前記患者ボアを所望の最大温度未満に維持する冷却剤源と、
を備えている、磁気共鳴イメージング・システム（２）。
【請求項９】
前記複数の中空の導体構造（４３）の各々と流体的に結合された銅スタブ・パイプ（５９）と、
前記銅スタブ・パイプ（５９）と前記冷却剤源（６７）との間に流体的に結合された非導電性のマニホールドとをさらに備える請求項８に記載の磁気共鳴イメージング・システム（２）。
【請求項１０】
患者ボア（６）と、
前記患者ボア（６）を囲繞する傾斜コイル・アセンブリ（５２）と、
前記患者ボア（６）と前記傾斜コイル・アセンブリ（５２）の間に結合されたＲＦコイル・アセンブリ（８）と、
を備える磁気共鳴イメージング・システム（２）であって、前記ＲＦコイル・アセンブリ（８）は、
複合材料（５５）と、
前記複合材料の内部に包含されている、複数の中空のＲＦコイルと、
前記複数の中空のＲＦコイルのそれぞれと流体的に結合されており、前記複数の中空のＲＦコイルのそれぞれを通過させて非導電性冷却剤を提供することが可能であり、前記磁気共鳴イメージング・システムの動作時に前記患者ボアを所望の最大温度未満に維持する冷却剤源と、
を備えている、磁気共鳴イメージング・システム（２）。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
３次元画像を生成する方法であって、
関心領域に対して異なるビュー角度で２つ又はそれ以上のフルオロスコピー投影画像を収集する段階と、
前記２つ又はそれ以上のフルオロスコピー投影画像から少なくとも１つの３次元画像を再構成する段階と、
を含み、
前記２つ又はそれ以上のフルオロスコピー投影画像が、標準マーカ又は解剖学的構造を使用して位置合わせされる、方法。
【請求項２】
前記２つ又はそれ以上のフルオロスコピー投影画像を収集する段階が、
心電図信号、自動造影剤注入、画像収集経過時間、表示された３次元画像に基づくフィードバック、侵襲的デバイスに関連する位置決めセンサ、照射パラメータを設定するためのプレショット、及びビデオ画像の少なくとも１つに基づいてフルオロスコピー投影画像収集の時間及び位置決めの内の少なくとも１つを確定する段階を含む請求項１に記載の方法。
【請求項３】
フルオロスコピー投影画像及び３次元画像の内の少なくとも１つを侵襲的デバイスに関連する電磁位置決め信号と相関付ける段階を含む請求項１に記載の方法。
【請求項４】
前記少なくとも１つの３次元画像を再構成する段階が、
少なくとも１つの最新のフルオロスコピー投影画像を用いて既存の３次元画像を更新する段階を含む請求項１に記載の方法。
【請求項５】
前記少なくとも１つの３次元画像を再構成する段階が、
心電図信号、収集幾何形状、及び３次元画像への再構成に用いられる投影の構成数の内の少なくとも１つに基づいて再構成のために２つ又はそれ以上のフルオロスコピー投影画像を選択する段階を含む請求項１に記載の方法。
【請求項６】
フルオロスコピー・イメージング・システム（１０）であって、
関心領域に対して異なる位置から関心ボリュームを透過して放射線流（１６、２０）を放出するように構成されたＸ線源（１２）と、
複数の検出器素子を含む検出器（２２）であって、各検出器素子が前記それぞれの放射線流（１６、２０）に応答して１つ又はそれ以上の信号を発生することができる検出器（２２）と、
Ｘ線源（１２）を制御し、前記複数の検出器素子からの１つ又はそれ以上の信号を収集するように構成されたシステム制御装置（２４）と、
前記１つ又はそれ以上の信号からの異なる透視点で関心領域の２つ又はそれ以上のフルオロスコピー投影画像を生成し、該２つ又はそれ以上のフルオロスコピー投影画像が、標準マーカ又は解剖学的構造を使用して位置合わせし、前記２つ又はそれ以上のフルオロスコピー投影画像から少なくとも１つの３次元画像を再構成するように構成されたコンピュータ・システム（３６）と、
少なくとも１つの３次元画像を表示するように構成されたオペレータ・ワークステーション（４０）と、
を備えるシステム。
【請求項７】
前記Ｘ線源（１２）が、１次元空間軌道、２次元空間軌道、又は３次元空間軌道の少なくとも１つで移動するように構成された請求項６に記載のフルオロスコピーイメージング・システム（１０）。
【請求項８】
前記システム制御装置（２４）が前記検出器（２２）の一部分だけを読み出すように構成され、前記一部分が関心領域に対応することを特徴とする請求項６に記載のフルオロスコピーイメージング・システム（１０）。
【請求項９】
前記システム制御装置（２４）が、前記関心領域に関連する前記検出器（２２）の第１の部分を第１の分解能で読み出し、前記関心領域に関連しない前記検出器（２２）の第２の部分を第２の分解能で読み出すように構成され、該第２の分解能が前記第１の分解能より低いことを特徴とする請求項６に記載のフルオロスコピーイメージング・システム（１０）。
【請求項１０】
前記オペレータ・ワークステーション（４０）が、現在のフルオロスコピー投影画像をレンダリングされた３次元画像上に重畳するように構成された請求項６に記載のフルオロスコピーイメージング・システム（１０）。
【手続補正書】
【提出日】平成21年11月6日(2009.11.6)
【手続補正１】
【補正対象書類名】特許請求の範囲
【補正対象項目名】全文
【補正方法】変更
【補正の内容】
【特許請求の範囲】
【請求項１】
画像データをフィルタリングするシステム（１００）であって、
時間フィルタリング技術を使用して画像データをフィルタリングし、時間フィルタリング出力を生成する時間フィルタリングユニット（１１０）と、
空間的フィルタリング技術を使用して、前記画像データをフィルタリングし、空間フィルタリング出力を生成する空間フィルタリングユニット（１２０）と、
前記画像データを、前記時間フィルタリング出力と相関付けて、時間相関出力を生成する第１の局所相関ユニット（１３０）と、
前記画像データを、前記空間フィルタリング出力と相関付けて、空間相関出力を生成する第２の局所相関ユニット（１４０）と、
前記空間相関出力と前記時間相関出力を協働させて、混合ユニット出力を生成する混合ユニット（１５０）と、
前記時間フィルタリング出力と前記混合ユニット出力とを乗算する乗算ユニット（１７０）と、
前記空間フィルタリング出力と前記混合ユニット出力とを乗算する乗算ユニット（１８０）と、
前記時間フィルタリング出力の一部と前記空間フィルタリング出力の一部を加算する加算ユニット（１９０）と、
を備えるシステム。
【請求項２】
前記混合ユニット出力を受けるためのマルチプレクサ（２５５）を更に備える請求項１に記載のシステム。
【請求項３】
前記マルチプレクサ（２５５）が、前記混合ユニット出力に基づいて、前記時間フィルタリング出力又は前記空間フィルタリング出力を選択して画像を変更することを特徴とする請求項２に記載のシステム。
【請求項４】
画像データをフィルタリングするシステム（４００）であって、
画像データを、空間フィルタリング技術を使用してフィルタリングし、第１の空間フィルタリング出力を発生させる第１の空間フィルタリングユニット（３１０）と、
時間比較信号を空間比較信号と比較する比較ユニット（３６０）と、
前記比較ユニット出力を受け入れて、時間更新信号又は空間更新信号を選択するマルチプレクサ（３７０）と、
出力信号を遅延させて、遅延ユニット出力を生成する遅延ユニット（３８０）と、
前記時間更新信号を乗算する少なくとも１つの乗算ユニットと、
前記時間比較信号を乗算する少なくとも１つの乗算ユニットと、
前記画像データを変更する少なくとも１つの加算ユニットと、
前記空間更新信号を生成する少なくとも１つの加算ユニットと、
前記空間比較信号を生成する少なくとも１つの加算ユニットと、
前記遅延ユニット（３８０）出力を空間フィルタリング技術を使用してフィルタリングし、第２の空間フィルタリング出力を発生させる第２の空間フィルタリングユニット（３９０）と、
を備えるシステム（４００）。
【請求項５】
前記比較ユニット出力が２進数を表す請求項４に記載のシステム（４００）。
【請求項６】
前記第２の空間フィルタリング出力が、前記時間比較信号を計算するのに使用される請求項４に記載のシステム（４００）。
【請求項７】
前記第２の空間フィルタリング出力が、前記時間比較信号を計算するのに使用される請求項４に記載のシステム（４００）。
【請求項８】
多重解像度空間フィルタ（５００）を使用して、信号をフィルタリングする方法であって前記多重解像度空間フィルタ（５００）の合成過程（５３０）が、
多重解像度空間フィルタ（５００）の分解（５１０）及び処理（５２０）過程から入力信号を収集する段階と、
時間フィルタリング技術（５３６）を使用して前記入力信号をフィルタリングし時間フィルタリング出力を生成する段階と、
空間フィルタリング技術（５３６）を使用して前記入力信号をフィルタリングし空間フィルタリング出力を生成する段階と、
前記時間フィルタリング出力を前記入力信号と相関付けて、前記入力信号及び前記時間フィルタリング出力（５３６）間の差に相当する時間相関出力を生成する段階と、
前記空間フィルタリング出力を前記入力信号と相関付けて、前記入力信号及び前記空間フィルタリング出力（５３６）間の差に相当する空間相関出力を生成する段階と、
前記空間相関出力と前記時間相関出力とを混合して出力信号（５３６）を生成する段階と、
前記出力信号の補集合を発生させる段階と、
を含む方法。
【請求項９】
前記出力信号に基づいて、前記時間フィルタリング出力又は前記空間フィルタリング出力を選択する段階を更に含む、請求項８に記載の方法。
【請求項１０】
前記空間フィルタリング出力と前記出力信号を乗算する段階を更に含む、請求項８に記載の方法。
【手続補正書】
【提出日】平成21年7月13日(2009.7.13)
【手続補正１】
【補正対象書類名】明細書
【補正対象項目名】発明の名称
【補正方法】変更
【補正の内容】
【発明の名称】トコトリエノールを有効成分とする血管新生阻害剤、細胞増殖阻害剤、管腔形成阻害剤及びＦＧＦ阻害剤
【手続補正２】
【補正対象書類名】明細書
【補正対象項目名】０００１
【補正方法】変更
【補正の内容】
【０００１】
本発明は、トコトリエノールを有効成分とする血管新生阻害剤、細胞増殖阻害剤、管腔形成阻害剤及び繊維芽細胞成長因子（ＦＧＦ）阻害剤に関するものである。
【手続補正３】
【補正対象書類名】明細書
【補正対象項目名】０００８
【補正方法】変更
【補正の内容】
【０００８】
すなわち、本発明は、
β−，γ−又はδ−トコトリエノールを有効成分とする血管新生阻害剤、但し、腫瘍、高コレステロール血症、乾癬又は慢性関節リウマチに起因する血管新生を除く。
β−，γ−又はδ−トコトリエノールを有効成分とする細胞増殖阻害剤、但し、腫瘍、高コレステロール血症、乾癬又は慢性関節リウマチに起因する細胞増殖を除く。
β−，γ−又はδ−トコトリエノールを有効成分とする管腔形成阻害剤、但し、腫瘍、高コレステロール血症、乾癬又は慢性関節リウマチに起因する管腔形成を除く。
β−又はδ−トコトリエノールを有効成分とする繊維芽細胞成長因子阻害剤、但し、腫瘍、高コレステロール血症、乾癬又は慢性関節リウマチに起因する繊維芽細胞成長因子を除く。
を提供するものである。
【手続補正４】
【補正対象書類名】明細書
【補正対象項目名】００３７
【補正方法】変更
【補正の内容】
【００３７】
本発明の薬剤の有効成分であるトコトリエノールを安定化させるために抗酸化剤、例えば、トコフェロール、Ｌ−アスコルビン酸、ＢＨＡ、ローズマリー抽出物等を常法に従って併用することができる。
【手続補正５】
【補正対象書類名】特許請求の範囲
【補正対象項目名】全文
【補正方法】変更
【補正の内容】
【特許請求の範囲】
【請求項１】
β−，γ−又はδ−トコトリエノールを有効成分とする血管新生阻害剤、但し、腫瘍、高コレステロール血症、乾癬又は慢性関節リウマチに起因する血管新生を除く。
【請求項２】
β−，γ−又はδ−トコトリエノールを有効成分とする細胞増殖阻害剤、但し、腫瘍、高コレステロール血症、乾癬又は慢性関節リウマチに起因する細胞増殖を除く。
【請求項３】
β−，γ−又はδ−トコトリエノールを有効成分とする管腔形成阻害剤、但し、腫瘍、高コレステロール血症、乾癬又は慢性関節リウマチに起因する管腔形成を除く。
【請求項４】
β−又はδ−トコトリエノールを有効成分とする繊維芽細胞成長因子阻害剤、但し、腫瘍、高コレステロール血症、乾癬又は慢性関節リウマチに起因する繊維芽細胞成長因子を除く。
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
金属材料からなるターゲットをスパッタ装置のチャンバー内に設置し、前記チャンバーには、前記チャンバー内に放電用ガスを導入するガス導入口と、前記チャンバーから放電用ガスを排気するガス排気口とが接続され、前記ガス導入口と前記ガス排気口とは互いに連通していて、前記ガス導入口及び前記ガス排気口は接続経路を介して前記チャンバーに接続されており、
前記チャンバー内の圧力を１３Ｐａ以上とした状態で前記チャンバー内にプラズマを生成して前記ターゲットをスパッタすることにより金属微粒子を生成することを特徴とする、金属微粒子の生成方法。
【請求項２】
前記スパッタ装置としてマグネトロンスパッタ装置を用いる、請求項１に記載の金属微粒子の生成方法。
【請求項３】
前記チャンバー内に放電用ガスを導入する、請求項１または２に記載の金属微粒子の生成方法。
【請求項４】
前記ターゲットを、前記チャンバーの内壁面から４０ｍｍ以上の距離をおいて前記チャンバー内に設置する、請求項１から３のいずれか１項に記載の金属微粒子の生成方法。
【請求項５】
前記金属微粒子を堆積させて回収する金属微粒子回収部材を前記チャンバー内に配置する、請求項１から４のいずれか１項に記載の金属微粒子の生成方法。
【請求項６】
前記金属微粒子回収部材を前記チャンバーの底面に配置する、請求項５に記載の金属微粒子の生成方法。
【請求項７】
前記金属微粒子回収部材を、前記ターゲットの下方の前記ターゲットに対向する位置に配置する、請求項６に記載の金属微粒子の生成方法。
【請求項８】
前記チャンバー内を、前記ターゲットが配置された第１の空間と前記金属微粒子回収部材が配置された第２の空間とに仕切り、前記第１の空間と前記第２の空間とを連通させた状態と遮断させた状態とに切り替えるシャッター機構を前記チャンバー内に設置する、請求項７に記載の金属微粒子の生成方法。
【請求項９】
前記ターゲットと前記シャッター機構との間の距離を４０ｍｍ以上とする、請求項８に記載の金属微粒子の生成方法。
【請求項１０】
銅又は銅合金からなるターゲットを用いる、請求項１から９のいずれか１項に記載の金属微粒子の生成方法。
【請求項１１】
請求項１から１０のいずれか１項に記載の金属微粒子の生成方法によって生成された金属微粒子をペースト材に含有させる工程を有する、金属含有ペーストの製造方法。
【請求項１２】
請求項１から１０のいずれか１項に記載の金属微粒子の生成方法によって生成された金属微粒子を前記チャンバー内に設置した基板の上に堆積させて金属薄膜を形成する工程と、
前記金属薄膜をパターニングして配線を形成する工程と、
を有する、金属薄膜配線の形成方法。
【手続補正書】
【提出日】平成21年6月10日(2009.6.10)
【手続補正１】
【補正対象書類名】明細書
【補正対象項目名】００３１
【補正方法】変更
【補正の内容】
【００３１】
参考例７
攪拌機および温度計を備えた容量1200mlのオートクレーブに、
CF3CF2(CH2CF2)(CF2CF2)2I (99.4GC％)
605g(1.18モル)およびジ第3ブチルパーオキサイド6gを仕込み、真空ポンプでオートクレーブを脱気した。内温を80℃迄加熱したところで、エチレンを逐次的に導入し、内圧を0.5MPaとした。内圧が0.2MPa迄下がったら、再びエチレンを導入して0.5MPaとし、これをくり返した。内温を80〜115℃に保ちながら、約3時間かけてエチレン50g(1.79モル)を導入した。内温50℃以下で内容物を回収し、
CF3CF2(CH2CF2)(CF2CF2)2(CH2CH2)I (97.3GC％)
639g(収率98.0％)を得た。
【手続補正書】
【提出日】平成21年10月8日(2009.10.8)
【手続補正１】
【補正対象書類名】明細書
【補正対象項目名】００１４
【補正方法】変更
【補正の内容】
【００１４】
本発明のシート積載装置は、シートを積載する複数の積載手段と、前記複数の積載手段に対応して設けられた複数の排出位置から各々対応する積載手段にシートを排出する排出手段と、前記複数の排出位置のうち選択された排出位置から排出されたシートを、前記選択された排出位置に対応する積載手段上の所定の位置に規制する、共通のストッパと、を備え、前記共通のストッパは、選択された排出位置から前記複数の積載手段のうち対応する積載手段上に排出されたシートを規制する位置に移動可能である、ことを特徴としている。
【手続補正２】
【補正対象書類名】明細書
【補正対象項目名】００１９
【補正方法】変更
【補正の内容】
【００１９】
【図１】本発明の実施の形態に係わる画像形成装置のシート搬送方向に沿った断面図である。
【図２】シート積載装置を有する画像形成装置全体を制御する制御ブロック図である。
【図３】スタッカ装置の基本動作説明用のフローチャートである。
【図４】本発明の第１の実施の形態に係わるシート積載装置のシート搬送方向に沿った断面図である。
【図５】左側のスタッカトレイにシートを積載する場合の動作説明用の図であり、シートがグリッパに保持された図である。
【図６】図５から続く動作説明用の図であり、シートがシート案内ユニットに搬送排出されている図である。
【図７】図６から続く動作説明用の図であり、シートが、シート案内ユニットのテーパ部に案内されて先行シート上に積載される直前の図である。
【図８】図７から続く動作説明用の図であり、シートが、先行シート上に積載された図である。
【図９】図８から続く動作説明用の図であり、一方のスタッカトレイにシートが所定の積載高さまで積載された図である。
【図１０】右側のスタッカトレイにシートを積載する場合の動作説明用の図であり、シートがグリッパに保持された図である。
【図１１】図１０から続く動作説明用の図であり、シートがシート案内ユニットに搬送排出されている図である。
【図１２】図１１から続く動作説明用の図であり、シートが、シート案内ユニットのテーパ部に案内されてスタッカトレイ上に積載された図である。
【図１３】図１２から続く動作説明用の図であり、両方のスタッカトレイにシートが所定の積載高さまで積載された図である。
【図１４】シートをドリーで搬送する斜視図である。
【図１５】本発明の第２の実施の形態におけるシート積載装置としての、スタッカトレイ毎にシートを排出する部分を有するシート積載装置の図である。
【図１６】従来のシート積載装置のシート搬送方向に沿った断面図である。
【手続補正３】
【補正対象書類名】明細書
【補正対象項目名】００２０
【補正方法】変更
【補正の内容】
【００２０】
以下、本発明の第１の実施の形態におけるシート積載装置と、この第１の実施の形態のシート積載装置を装置本体に備えた画像形成装置とを図に基づいて説明する。なお、本発明の第２の実施の形態におけるシート積載装置も、第１の実施の形態におけるシート積載装置の代わりに画像形成装置に設けられるようになっている。
【手続補正４】
【補正対象書類名】明細書
【補正対象項目名】００２１
【補正方法】変更
【補正の内容】
【００２１】
（画像形成装置）
図１は、本発明の第１の実施の形態における画像形成装置のシート搬送方向に沿った断面図である。画像形成装置９００は、装置本体９００Ａにシート積載装置（以下、「スタッカ装置」という）１００を備えている。スタッカ装置１００は、装置本体９００Ａにオプションとして接続されるようになっているが、装置本体９００Ａ内に組み込まれていてもよい。
【手続補正５】
【補正対象書類名】明細書
【補正対象項目名】００６０
【補正方法】変更
【補正の内容】
【００６０】
以上の第１の実施の形態におけるスタッカ装置は、複数のスタッカトレイにグリッパでシートを搬送するようになっている。しかし、図１５に示す本発明の第２の実施の形態におけるシート積載装置としてのスタッカ装置３００は、各スタッカトレイ（積載手段毎）に、排出手段としての排出ローラ対１１０，１２４を配設して、このローラ対から各スタッカトレイにシートを排出するようになっている。本スタッカ装置３００は、前述のスタッカ装置１００と比較して、グリッパ１１４ａ、１１４ｂ、駆動ベルト１３０の代わりに排出ローラ対１１０，１２４を設けた点において異なり、その他の部分は、同様な構成であり、その他の部分の図示及び説明を省略する。
【手続補正６】
【補正対象書類名】明細書
【補正対象項目名】００６２
【補正方法】変更
【補正の内容】
【００６２】
また、本発明の第１、第２の実施の形態におけるスタッカ装置は、スタッカトレイを２つ有しているが、３つ以上有していてもよい。
【手続補正７】
【補正対象書類名】明細書
【補正対象項目名】００６３
【補正方法】変更
【補正の内容】
【００６３】
なお、第２の実施の形態において、シートは、先端をグリッパに把持されて搬送されるようになっているが、エアーを吸引してシートの先端を吸着するエアー吸引ユニットとしてのエアー吸引装置を駆動ベルト１３０に設けてシートを吸着搬送するようになっていてもよい。さらに、静電気でシートの先端を吸着する静電吸着ユニットとしての静電吸引装置を駆動ベルト１３０に設けてシートを搬送するようになっていてもよい。
【手続補正８】
【補正対象書類名】特許請求の範囲
【補正対象項目名】全文
【補正方法】変更
【補正の内容】
【特許請求の範囲】
【請求項１】
シートを積載する複数の積載手段と、
前記複数の積載手段に対応して設けられた複数の排出位置から各々対応する積載手段にシートを排出する排出手段と、
前記複数の排出位置のうち選択された排出位置から排出されたシートを、前記選択された排出位置に対応する積載手段上の所定の位置に規制する、共通のストッパと、を備え、
前記共通のストッパは、選択された排出位置から前記複数の積載手段のうち対応する積載手段上に排出されたシートを規制する位置に移動可能である、
ことを特徴とするシート積載装置。
【請求項２】
前記積載手段は、積載されたシートの最上面が所定の高さ位置に位置するように昇降可能である、
ことを特徴とする請求項１に記載のシート積載装置。
【請求項３】
前記積載手段は、積載されたシートの最上面が所定の高さ位置に位置するように昇降可能であり、
前記共通のストッパは、先に選択された排出位置から次に選択された排出位置に移動する際、先に選択された排出位置に対応する積載手段が下降してから次に選択された排出位置に対応する積載手段に向けて移動する、
ことを特徴とする請求項１又は２に記載のシート積載装置。
【請求項４】
前記共通のストッパは、シートを前記ストッパに向けて移動させる回転体と、シートを前記回転体に案内する案内部とともに、案内手段を構成する、
ことを特徴とする請求項１又は３に記載のシート積載装置。
【請求項５】
シートに画像を形成する画像形成手段と、
画像を形成されたシートが積載される請求項１乃至４のいずれか１項に記載のシート積載装置と、を備えた、
ことを特徴とする画像形成装置。
【手続補正書】
【提出日】平成21年7月30日(2009.7.30)
【手続補正１】
【補正対象書類名】特許請求の範囲
【補正対象項目名】全文
【補正方法】変更
【補正の内容】
【特許請求の範囲】
【請求項１】
液体消費装置に供給する液体を収容して前記液体消費装置の容器装着部に着脱自在に装着される容器本体と、
前記容器本体の所定位置に位置決めされるチップ本体の平坦な接続用外面に一対のチップ接点が設けられた回路チップと、
前記容器本体における前記回路チップの周辺に位置決めされると共に、対応する前記チップ接点に接触するチップ接触片と、他回路の接点に導通接続される他回路接続部とを有し、前記チップ接点と前記他回路の接点とを導通接続させる一対の接続端子板と、を備える液体収容容器であって、
前記各チップ接触片は、対応する前記チップ接点の長手方向に沿って互いに同一の側から前記接続用外面の上に延出し、
前記各チップ接点は、対応する前記チップ接触片に接触する側の端縁であって互いに同一の側の端縁に、前記長手方向に延出し前記接続用外面の縁部に達する延長部を有し、
前記延長部が達した縁部に対向する前記接続用外面の対辺の縁部と、前記チップ接点の前記延長部を有する端縁に対向する端縁との間に所定の離間距離が確保されていることを特徴とする液体収容容器。
【請求項２】
液体消費装置に供給する液体を収容して前記液体消費装置の容器装着部に着脱自在に装着される容器本体と、
前記容器本体の所定位置に位置決めされるチップ本体の平坦な接続用外面に一対のチップ接点が設けられた回路チップと、
前記容器本体における前記回路チップの周辺に位置決めされると共に、対応する前記チップ接点に接触するチップ接触片と、他回路の接点に導通接続される他回路接続部とを有し、前記チップ接点と前記他回路の接点とを導通接続させる一対の接続端子板と、を備える液体収容容器であって、
前記各チップ接触片は、対応する前記チップ接点の長手方向に沿って互いに逆側から前記接続用外面の上に延出し、
前記各チップ接点は、対応する前記チップ接触片に接触する側の端縁であって互いに逆側の端縁に、前記長手方向に延出し前記接続用外面の縁部に達する延長部を有し、
前記延長部が達した縁部に対向する前記接続用外面の対辺の縁部と、前記チップ接点の前記延長部を有する端縁に対向する端縁との間に所定の離間距離が確保されていることを特徴とする液体収容容器。
【手続補正２】
【補正対象書類名】明細書
【補正対象項目名】００１６
【補正方法】変更
【補正の内容】
【００１６】
本発明の上記目的は、液体消費装置に供給する液体を収容して前記液体消費装置の容器装着部に着脱自在に装着される容器本体と、
前記容器本体の所定位置に位置決めされるチップ本体の平坦な接続用外面に一対のチップ接点が設けられた回路チップと、
前記容器本体における前記回路チップの周辺に位置決めされると共に、対応する前記チップ接点に接触するチップ接触片と、他回路の接点に導通接続される他回路接続部とを有し、前記チップ接点と前記他回路の接点とを導通接続させる一対の接続端子板と、を備える液体収容容器であって、
前記各チップ接触片は、対応する前記チップ接点の長手方向に沿って互いに同一の側から前記接続用外面の上に延出し、
前記各チップ接点は、対応する前記チップ接触片に接触する側の端縁であって互いに同一の側の端縁に、前記長手方向に延出し前記接続用外面の縁部に達する延長部を有し、
前記延長部が達した縁部に対向する前記接続用外面の対辺の縁部と、前記チップ接点の前記延長部を有する端縁に対向する端縁との間に所定の離間距離が確保されていることを特徴とする液体収容容器により達成される。
また、本発明の上記目的は、液体消費装置に供給する液体を収容して前記液体消費装置の容器装着部に着脱自在に装着される容器本体と、
前記容器本体の所定位置に位置決めされるチップ本体の平坦な接続用外面に一対のチップ接点が設けられた回路チップと、
前記容器本体における前記回路チップの周辺に位置決めされると共に、対応する前記チップ接点に接触するチップ接触片と、他回路の接点に導通接続される他回路接続部とを有し、前記チップ接点と前記他回路の接点とを導通接続させる一対の接続端子板と、を備える液体収容容器であって、
前記各チップ接触片は、対応する前記チップ接点の長手方向に沿って互いに逆側から前記接続用外面の上に延出し、
前記各チップ接点は、対応する前記チップ接触片に接触する側の端縁であって互いに逆側の端縁に、前記長手方向に延出し前記接続用外面の縁部に達する延長部を有し、
前記延長部が達した縁部に対向する前記接続用外面の対辺の縁部と、前記チップ接点の前記延長部を有する端縁に対向する端縁との間に所定の離間距離が確保されていることを特徴とする液体収容容器により達成される。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
更に、延長部が達した縁部と対向する接続用外面の対辺の縁部は、チップ接点の端縁との間に所定の離間距離が確保されているので、例えば、回路チップの製造工程で、多数の回路チップを一枚のウェハ上に隣接する形態で板取りした時に、隣接する回路チップ間ではチップ接点が連続することがない。
従って、一枚のウェハ上に隣接する形態で板取りした多数の回路チップを、チップ相互の切り離しをする前に、一括で分極処理する製法を採用して、回路チップの生産を効率化することができる。
【手続補正５】
【補正対象書類名】明細書
【補正対象項目名】００２２
【補正方法】削除
【補正の内容】
【手続補正６】
【補正対象書類名】明細書
【補正対象項目名】００２３
【補正方法】削除
【補正の内容】
【手続補正書】
【提出日】平成21年9月8日(2009.9.8)
【手続補正１】
【補正対象書類名】特許請求の範囲
【補正対象項目名】全文
【補正方法】変更
【補正の内容】
【特許請求の範囲】
【請求項１】
車両の前ガラスの左右を支持しているフロントピラーと、該フロントピラーの途中から下方に延設したサブピラーと、前記フロントピラー及び前記サブピラーに支持されたサブウインドウガラスと、を備えた車両の前側方視認装置において、
前記サブピラーの下端近傍に配置されたドアミラーと、該ドアミラーのドアミラー本体を収納しているミラーハウジングに、前記ドアミラーの下方から車両の側方及び前方の所望の範囲内の対象物を映すように設けた第１の反射鏡と、前記サブウインドウガラスを通った前記第１の反射鏡の光を乗員へ向けて反射させるように前記フロントピラーの車室内側面の前側端部に設けた第２の反射鏡と、を備えていることを特徴とする車両の前側方視認装置。
【請求項２】
前記第２の反射鏡は、前記フロントピラーの車室内側面の下端に取付けられていることを特徴とする請求項１記載の車両の前側方視認装置。
【請求項３】
前記第２の反射鏡は、前記車室内に配置されているとともに、前記フロントピラーとインストルメントパネルとが交差する部位に配置されていることを特徴とする請求項２記載の車両の前側方視認装置。
【請求項４】
前記第２の反射鏡は、第２の反射鏡本体が回動可能に取付けられていることを特徴とする請求項１〜３のいずれか１項に記載の車両の前側方視認装置。
【請求項５】
前記第１の反射鏡は、前記ミラーハウジングを鏡面塗装することで形成されていることを特徴とする請求項１〜４のいずれか１項に記載の車両の前側方視認装置。
【請求項６】
前記ドアミラーは、ドアに対して、回動させることで、通常状態から格納状態となり、
前記第１の反射鏡は、前記ドアミラーが通常状態のときに、前記対象物を映す通常反射部と、格納状態のときに、前記対象物を映す格納反射部と、からなることを特徴とする請求項１〜５のいずれか１項に記載の車両の前側方視認装置。
【請求項７】
前記格納反射部は、前記通常反射部の面形状と略同等の面形状で、前記通常反射部の像と略同等の形態の像を形成することを特徴とする請求項１〜６のいずれか１項に記載の車両の前側方視認装置。
【請求項８】
前記サブウインドウガラスに窓側合わせマークを設け、前記回動可能な第２の反射鏡にミラー側合わせマークを設け、前記回動可能な第２の反射鏡を回動させて、ミラー側合わせマークと映っている窓側合わせマークを一致させることで、前記回動可能な第２の反射鏡の位置決めを行うことを特徴とする請求項４〜７のいずれか１項に記載の車両の前側方視認装置。
【請求項９】
前記窓側合わせマークにミラー側合わせマークが一致して１つに重なったマークの位置が、前記第２の反射鏡に映っている車両の前端部に一致していることを特徴とする請求項８記載の車両の前側方視認装置。
【請求項１０】
前記ミラー側合わせマークとして、前記第２の反射鏡の縁を用い、
前記窓側合わせマークは、前記縁に略一致する外枠部と、該外枠部内に所望の間隔で線引きされたスケール線と、からなることを特徴とする請求項８記載の車両の前側方視認装置。
【手続補正２】
【補正対象書類名】明細書
【補正対象項目名】０００５
【補正方法】変更
【補正の内容】
【０００５】
請求項１に係る発明は、車両の前ガラスの左右を支持しているフロントピラーと、フロントピラーの途中から下方に延設したサブピラーと、フロントピラー及びサブピラーに支持されたサブウインドウガラスと、を備えた車両の前側方視認装置において、サブピラーの下端近傍に配置されたドアミラーと、ドアミラーのドアミラー本体を収納しているミラーハウジングに、ドアミラーの下方から車両の側方及び前方の所望の範囲内の対象物を映すように設けた第１の反射鏡と、サブウインドウガラスを通った第１の反射鏡の光を乗員へ向けて反射させるようにフロントピラーの車室内側面の前側端部に設けた第２の反射鏡と、を備えていることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２に係る発明では、第２の反射鏡は、フロントピラーの車室内側面の下端に取付けられていることを特徴とする。
請求項３に係る発明では、第２の反射鏡は、車室内に配置されているとともに、フロントピラーとインストルメントパネルとが交差する部位に配置されていることを特徴とする。
【手続補正５】
【補正対象書類名】明細書
【補正対象項目名】００１５
【補正方法】変更
【補正の内容】
【００１５】
請求項１に係る発明では、サブピラーの下端近傍に配置されたドアミラーと、ドアミラーのミラーハウジングに、ドアミラーの下方から車両の側方及び前方の所望の範囲内の対象物を映すように設けた第１の反射鏡と、フロントピラーの車室内側面に設けた第２の反射鏡と、を備えているので、フロントピラーの位置で第２の反射鏡によって、死角となる車両のフロントボデーの側部（フロントフェンダ）及び、側部周りに位置する対象物を視認することができるという利点がある。
【手続補正６】
【補正対象書類名】明細書
【補正対象項目名】００１７
【補正方法】変更
【補正の内容】
【００１７】
請求項１に係る発明では、フロントピラーの途中から下方に延設したサブピラーが形成され、フロントピラー及びサブピラーでサブウインドウガラスを支持し、ドアミラーは、サブピラーの下端近傍に配置され、第２の反射鏡は、サブウインドウガラスを通った第１の反射鏡の光を反射しているので、フロントピラーの位置で第２の反射鏡によって、死角となる車両のフロントボデーの側部（フロントフェンダ）及び、側部周りに位置する対象物を視認することができるという利点がある。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】変更
【補正の内容】
【００１９】
請求項２に係る発明では、第２の反射鏡は、フロントピラーの車室内側面の下端に取付けられているので、フロントボデーの側部周りを見る視線で第２の反射鏡を見ることができ、乗員（運転者）の視点の移動距離を小さくすることができるという利点がある。
請求項３に係る発明では、第２の反射鏡は、車室内に配置されているとともに、フロントピラーとインストルメントパネルとが交差する部位に配置されているので、フロントボデーの側部周りを見る視線で第２の反射鏡を見ることができ、乗員（運転者）の視点の移動距離を小さくすることができるという利点がある。
【手続補正書】
【提出日】平成21年8月18日(2009.8.18)
【手続補正１】
【補正対象書類名】特許請求の範囲
【補正対象項目名】全文
【補正方法】変更
【補正の内容】
【特許請求の範囲】
【請求項１】
ビューポートを介して画像をパンするための方法であって、
パンできる方向を前記ビューポート上にビジュアルに示すステップと、
前記ビューポートのパン操作領域内にビジュアルマーカーを位置づけるステップと、
前記ビジュアルマーカーの位置付けにより前記パン操作領域と関連付けられた方向に前記画像を通って前記ビューポートの移動を誘発するステップと、
誘発作業と同時に前記方向にパンできる相対量を前記パン操作領域内に表示するステップと、
を含む方法。
【請求項２】
前記画像が動くのに伴って前記パン操作領域の表示濃度を調整することによってパンできる相対量を更新することを  含む、請求項１に記載の方法。
【請求項３】
パンできる方向を前記ビューポート上に示すステップは、
前記ビューポートの一番外側のエッジで少なくとも１画素幅でボーダーを表示することと、
パンする方向にパンできる量を示すために前記ボーダーの色の濃度を調整することと、
を含む、請求項１に記載の方法。
【請求項４】
誘発作業と同時に前記方向にパンできる相対量を前記パン操作領域内に表示するステップは、
前記移動の方向を示す方向マーカーを表示することを含む、請求項１に記載の方法。
【請求項５】
前記パン操作領域と関連付けられた方向に前記画像を通って前記ビューポートの移動を誘発するステップは、
前記パン操作領域内における前記ビジュアルインジケータの透明度を調整することによって移動の速度を示すことを含む、請求項１に記載の方法。
【請求項６】
前記画像は、前記ビューポートを表示するコンピューティングデバイスの共有アプリケーションを介して検索されたリモートコンピューティングデバイスのデスクトップ画像データである、請求項１に記載の方法。
【請求項７】
前記パン操作領域のサイズの調整を可能にすることを含む、請求項１に記載の方法。
【請求項８】
前記パン操作領域のサイズの調整は他のパン操作領域と同期化されているので、前記パン操作領域が調整されることにより各パン操作領域のサイズ調整を誘発する、請求項７に記載の方法。